(57)【特許請求の範囲】
【請求項１】
枚葉紙（２）を搬送する胴（４）と、各々が、前記胴（４）に枚葉紙（２）を押し当てる支持セグメント（２２）を含む、枚葉紙支持器回転軸（２１）を中心として回転可能に支持された枚葉紙支持器（１８，１９）とを備える、被印刷体からなる枚葉紙（２）を処理する機械（１）において、
前記支持セグメント群（２２）が、前記枚葉紙支持器回転軸（２１）に対して相対的にねじれの位置にある揺動軸（３２）を中心として、能動位置（２２．２）と受動位置（２２．１）へ選択的に揺動可能に支持されていることを特徴とする、被印刷体からなる枚葉紙を処理する機械。
【請求項２】
前記支持セグメント（２２）のセグメントヘッド（２４）が前記受動位置（２２．１）のときにずれ重なった構造（Ｓ）を形成する、請求項１に記載の機械。
【請求項３】
前記支持セグメント（２２）が、各々が中立の死点（２２．３）を有する双安定なオーバセンタ機構（Ｋ）に属している、請求項１または２に記載の機械。
【請求項４】
前記オーバセンタ機構（Ｋ）が、中立の死点位置（２２．３）のときに各々のねじれの位置にある揺動軸（３２）を通って延びるばね力作用線（４１）を備えるばね（３８）をそれぞれ含んでいる、請求項３に記載の機械。
【請求項５】
前記受動位置（２２．１）のときに前記支持セグメント（２２）を係止するためのロック用つめ（４２）が前記支持セグメント（２２）に付属している、請求項１から４までのいずれか１項に記載の機械。
【請求項６】
前記ロック用つめ（４２）は、前記ロック用つめ（４２）に対して相対的に揺動可能なレバーアーム（４７）がその揺動運動の過程で前記ロック用つめ（４２）に順次突き当たってこれを操作するように並んでいる、請求項５に記載の機械。
【請求項７】
前記支持セグメント（２２）の各々が第１のストッパと第２のストッパを有しており、これらのストッパは、前記支持セグメント（２２）に対して相対的に揺動可能な切換レバー（３６）が、前記支持セグメント（２２）を倒すために第１のストッパに突き当り、前記支持セグメント（２２）を起こすために第２のストッパに突き当たるように、互いにずれた状態で配置されている、請求項１から６までのいずれか１項に記載の機械。
【請求項８】
前記ストッパがカム（３４，３５）として構成されている、請求項７に記載の機械。
【請求項９】
そのつど一方の揺動方向へ、かつその際に押離し位置（２２．４）へと行われる前記支持セグメント（２２）の揺動のための押し当て・押離し装置（Ａ）が前記支持セグメント（２２）に付属しており、揺動方向に見て前記能動位置（２２．２）の前に前記受動位置（２２．１）が配置されており、前記押離し位置（２２．４）がその後に配置されている、請求項１から８までのいずれか１項に記載の機械。
【請求項１０】
前記押し当て・押離し装置（Ａ）が、前記支持セグメント（２２）に対して相対的に回転可能、かつ前記枚葉紙支持器回転軸（２１）と実質的に同軸に支持された切換リング（５０）を含んでいる、請求項９に記載の機械。
【請求項１１】
前記枚葉紙支持器（１８，１９）が、枚葉紙（２）を排紙する排紙装置（５）の排紙胴（２０）の構成要素である、請求項１から１０までのいずれか１項に記載の機械。
【請求項１２】
前記排紙装置（５）が、枚葉紙（２）の前方の枚葉紙端部（１２）を掴む前方のくわえづめブリッジ（１０）と、枚葉紙（２）の後方の枚葉紙端部（１６）を同時に掴む後方のくわえづめブリッジ（１５）とを含んでいる、請求項１１に記載の機械。
【請求項１３】
枚葉紙支持器回転軸（２１）と、枚葉紙（２）を搬送する、枚葉紙（２）を処理する機械（１）に付属する胴（４）に枚葉紙（２）を押し当てる支持セグメント（２２）を含む、被印刷体からなる枚葉紙（２）を処理する機械（１）のための枚葉紙支持器（１８，１９）において、
前記支持セグメント群（２２）が、前記枚葉紙支持器回転軸（２１）に対して相対的にねじれの位置にある揺動軸（３２）を中心として、能動位置（２２．２）と受動位置（２２．１）へ選択的に揺動可能に支持されていることを特徴とする枚葉紙支持器。
【請求項１４】
前記支持セグメント（２２）のセグメントヘッド（２４）が前記受動位置（２２．１）のときにずれ重なった構造（Ｓ）を形成する、請求項１３に記載の枚葉紙支持器。
【請求項１５】
前記支持セグメント（２２）が、各々が中立の死点（２２．３）を有する双安定なオーバセンタ機構（Ｋ）に属している、請求項１３または１４に記載の枚葉紙支持器。
【請求項１６】
前記オーバセンタ機構（Ｋ）が、中立の死点位置（２２．３）のときに各々のねじれの位置にある揺動軸（３２）を通って延びるばね力作用線（４１）を備えるばね（３８）をそれぞれ含んでいる、請求項１５に記載の枚葉紙支持器。
【請求項１７】
前記受動位置（２２．１）のときに前記支持セグメント（２２）を係止するためのロック用つめ（４２）が前記支持セグメント（２２）に付属している、請求項１３から１６までのいずれか１項に記載の枚葉紙支持器。
【請求項１８】
前記ロック用つめ（４２）は、前記ロック用つめ（４２）に対して相対的に揺動可能なレバーアーム（４７）がその揺動運動の過程で前記ロック用つめ（４２）に順次突き当たってこれを操作するように並んでいる、請求項１７に記載の枚葉紙支持器。
【請求項１９】
前記支持セグメント（２２）の各々が第１のストッパと第２のストッパを有しており、これらのストッパは、前記支持セグメント（２２）に対して相対的に揺動可能な切換レバー（３６）が、前記支持セグメント（２２）を倒すために第１のストッパに突き当り、前記支持セグメント（２２）を起こすために第２のストッパに突き当たるように、互いにずれた状態で配置されている、請求項１３から１８までのいずれか１項に記載の枚葉紙支持器。
【請求項２０】
前記ストッパがカム（３４，３５）として構成されている、請求項１９に記載の枚葉紙支持器。
【請求項２１】
そのつど一方の揺動方向へ、かつその際に押離し位置（２２．４）へと行われる前記支持セグメント（２２）の揺動のための押し当て・押離し装置（Ａ）が前記支持セグメント（２２）に付属しており、揺動方向に見て前記能動位置（２２．２）の前に前記受動位置（２２．１）が配置されており、前記押離し位置（２２．４）がその後に配置されている、請求項１３から２０までのいずれか１項に記載の枚葉紙支持器。
【請求項２２】
前記押し当て・押離し装置（Ａ）が、前記支持セグメント（２２）に対して相対的に回転可能、かつ前記枚葉紙支持器回転軸（２１）と実質的に同軸に支持された切換リング（５０）を含んでいる、請求項２１に記載の枚葉紙支持器。
【発明の詳細な説明】
【技術分野】
【０００１】
本発明は、枚葉紙を搬送する胴と、各々が、前記胴に枚葉紙を押し当てる支持セグメントを含む、枚葉紙支持器回転軸を中心として回転可能に支持された枚葉紙支持器とを備える、被印刷体からなる枚葉紙を処理する機械に関するものであり、次のような背景から生まれたものである。
【背景技術】
【０００２】
枚葉紙印刷機は、排出されるべき枚葉紙の前方の枚葉紙端部を掴むための、搬送方向に見て前方のくわえづめブリッジと、枚葉紙の後方の枚葉紙端部を同時に掴むための後方のくわえづめブリッジとを含む排紙装置を有している場合がある。このような排紙装置では、前方のくわえづめブリッジのセットが一方の組のチェーンに取り付けられ、後方のくわえづめブリッジのセットが他方の組のチェーンに取り付けられていてよい。前方のくわえづめブリッジと後方のくわえづめブリッジは、これらの組のチェーンと協働して、前述した枚葉紙支持器を備える排紙胴の周囲を回る。枚葉紙支持器は、前方のくわえづめブリッジが前方の枚葉紙端部をすでに把持し、この前方のくわえづめブリッジと連動する後方のくわえづめブリッジが後方の枚葉紙端部をまだ把持していないときに、排紙胴と隣接する圧胴へ各枚葉紙を押し当てる役目をする。枚葉紙支持器によって行われる圧胴への枚葉紙の押し当ては、前述した後方のくわえづめブリッジが、後方の枚葉紙端部を確実に把持できるようにするために必要である。各々の前方のくわえづめブリッジは、それぞれの前方のくわえづめブリッジに付属する後方のくわえづめブリッジに対して相対的に一定の間隔をおいて、前方に位置している。この間隔は、印刷ジョブごとに変わる可能性がある枚葉紙の枚葉紙長さに依存して決まる。枚葉紙長さの変更には、排紙装置のいわゆる判型切換の一環として、前述した間隔の修正が必要である。このような判型切換では、前方のくわえづめブリッジを支持する１組のチェーンが、後方のくわえづめブリッジを支持する１組のチェーンに対して相対的に位置調節されることによって、前方のくわえづめブリッジが、これに付属する後方のくわえづめブリッジに対して相対的に間隔が広くなるように、または間隔が狭くなるように調整される。枚葉紙支持器は、互いに付属する前方のくわえづめブリッジと後方のくわえづめブリッジが回転している間、この両方のくわえづめブリッジの間に一時的に位置するので、判型切換の一環として、各くわえづめブリッジの間の変化した間隔に合わせて、枚葉紙支持器の有効な円周長さを調節することも必要である。たとえば、判型切換で前方のくわえづめブリッジを後方のくわえづめブリッジに近づくように位置調節しなければならない場合には、前方のくわえづめブリッジのこのような位置調節を枚葉紙支持器が妨げないようにするために、枚葉紙支持器を短くしなければならない。
【０００３】
そのために、冒頭に述べた分野に属する機械が記載されている特許文献１（その中でも特に９欄１５行から１０欄１１行を参照）では、それぞれの枚葉紙支持器を２部分に分割して、前方の枚葉紙支持区域と後方の枚葉紙支持区域にすることが提案されている。各枚葉紙支持器を延長または短縮するために、その枚葉紙支持区域の一方が他方に対して相対的に円周方向へ位置調節される。これらの枚葉紙支持区域が、冒頭に述べた支持セグメントを形成する。１つの実施形態（特許文献１、図２ａ参照）では、両方の枚葉紙支持区域は、それぞれの枚葉紙支持区域もしくはその回転ストライプの共通の軌道幅が比較的広くなるように相並んで配置される。これに関して不都合な点は、広い軌道幅のためには、回転ストライプが上を転動する、印刷されていない枚葉紙側縁の相応に広い幅が必要になることである。印刷されていない枚葉紙側縁の広い幅の結果として、印刷画像に利用することができる枚葉紙面積が制約され、枚葉紙裁断による廃棄物の量が増えることになる。このような問題は、それぞれの枚葉紙支持区域が部分的に互いに噛み合って係合し、比較的狭い軌道の回転ストライプを支持する支持ベルトによって覆われる他の実施形態（特許文献１、図２ｂおよび図２ｃ参照）では解決されているものの、そのためには別の問題に目をつぶらざるを得ない。それぞれの枚葉紙支持区域が互いに係合していない円周領域では、支持ベルトは枚葉紙支持区域のそれぞれ一方によってしか裏側で支持されず、そのために、十分な支えと安定性がなくなってしまう。支持ベルトの損傷や、早期の磨耗が起こることが予想される。
【特許文献１】ドイツ特許出願公開明細書１００１４４１７号
【発明の開示】
【発明が解決しようとする課題】
【０００４】
そこで、本発明の目的は、枚葉紙支持器が、これと接触する印刷されていない側縁部の比較的狭い幅を可能にし、長い耐用寿命を有している、冒頭に述べた分野に属する機械を提供することである。
【課題を解決するための手段】
【０００５】
この目的は、請求項１の特徴を備える機械によって達成される。枚葉紙を搬送する胴と、各々が、前記胴に枚葉紙を押し当てる支持セグメントを含む、枚葉紙支持器回転軸を中心として回転可能に支持された枚葉紙支持器とを備える、被印刷体からなる枚葉紙を処理する本発明の機械は、支持セグメント群が、枚葉紙支持器回転軸に対して相対的にねじれの位置にある（windschiefe）揺動軸を中心として、能動位置と受動位置へ選択的に揺動可能に支持されていることを特徴とする。
【０００６】
ねじれの位置にある揺動軸は、それぞれの支持セグメントが、能動位置にあるときに、枚葉紙支持器回転軸を円弧状に取り囲むように湾曲して延びる同一の整列線上に並ぶことを可能にする。能動位置では、それぞれの支持セグメントが互いに整列して配置されるので、その軌道幅もしくは転動線の幅、およびこれに対応する、支持セグメントが上を転動する枚葉紙の印刷されていない側縁部の幅を、比較的狭く抑えることができる。さらに別の利点は、支持セグメントが、回転ストライプとして機能する押し当てクッションを支持するためのセグメントヘッドを有することができるという点にある。このセグメントヘッドは、従来技術（特許文献１）で回転ストライプを支持するために用いられる支持ベルトよりもはるかに安定している。セグメントヘッドの耐用寿命は事実上制限がなく、押し当てクッションの耐用寿命は比較的長い。
【０００７】
次に、従属請求項に記載された発展例をひとつずつ手短に説明する。
【０００８】
枚葉紙判型の可変性に関して、および同じ部品で製作できるという点で有利な発展例では、支持セグメントのセグメントヘッドが受動位置のときにずれ重なった構造を形成する。ずれ重なった配列は、受動位置へ位置調節されるべき枚葉紙支持器のすべての支持セグメントが、枚葉紙支持器の同一の側に向かって、すなわち枚葉紙支持器のすぐ隣にある１組のチェーンスプロケットと反対を向いているほうの枚葉紙支持器の側に向かって、揺動することを可能にする。それにより、どの支持セグメントも前述したチェーンスプロケットに向かって揺動しなくてよく、受動位置にあるどの支持セグメントも、枚葉紙支持器とその隣に位置するチェーンスプロケットとの間には存在していないので、処理されるべき枚葉紙の広い枚葉紙幅が枚葉紙支持器の判型調整を必要とする場合には、枚葉紙支持器を枚葉紙支持器回転軸に沿ってチェーンスプロケットに非常に接近するまで位置調節することができる。もしもずれ重なった配列がなければ、支持セグメントを枚葉紙支持器の一方の側と他方の側に向かって交互に受動位置へ揺動させなくてはならないので、その後、いくつかの支持セグメントが枚葉紙支持器とチェーンスプロケットの間に残ることになり、チェーンスプロケットに非常に接近する枚葉紙支持器の判型調整を妨げてしまう。ずれ重なった配列のさらに別の利点は、すべての支持セグメントのねじれの位置にある揺動軸を、枚葉紙支持器回転軸に対して相対的に等しい半径方向間隔で配置することを可能にするという点にある。したがって、ねじれの位置にあるそれぞれの揺動軸は、湾曲の中心点が枚葉紙支持器回転軸である、同一の円弧上に位置している。したがって、それぞれの支持セグメントは、セグメントヘッドと揺動軸との間で測定したそのセグメント長さに関して、互いに違いのない同じ部品として製作することができる。
【０００９】
能動位置と受動位置への支持セグメントの位置調節が自動化されるという点で有利な発展例では、支持セグメントが第１のストッパと第２のストッパをそれぞれ有しており、特にカムとして構成されたこれらのストッパは、支持セグメントに対して相対的に揺動可能な切換レバーが、各支持セグメントを倒すために第１のストッパに突き当り、この支持セグメントを起こすために第２のストッパに突き当たるように、互いにずれた状態で配置されている。つまり、能動位置への各支持セグメントの位置調節は、受動位置への支持セグメントの位置調節と同じ操作部材によって引き起こされ、すなわち、切換レバーによって引き起こされる。また、支持セグメントの両方の傾倒・直立運動のために、ただ１つの駆動装置しか必要ない。
【００１０】
ストッパのコンパクトな構成という点で有利な発展例では、支持セグメントは、それぞれが中立の死点位置を有する双安定なオーバセンタ機構に属しており、これらのオーバセンタ機構は、中立の死点位置にあるときに各々のねじれの位置にある揺動軸を通って延びるばね力作用線を備えるばねをそれぞれ含んでいる。ストッパは、死点に至るまでの支持セグメントの位置調節のためにしか必要なく、オーバセンタ機構のばねが、死点位置を過ぎた後の支持セグメントの位置調節を引き起こすので、ストッパの長さ、もしくはストッパに構成されるカム軌道の長さを短く抑えることができる。
【００１１】
枚葉紙のばたつきがなく、したがって、積み置きパイルへの枚葉紙の排紙が裏移りなしに行われるという点で有利な発展例では、機械は、枚葉紙の前方の枚葉紙端部を掴むための前方のくわえづめブリッジと、枚葉紙の後方の枚葉紙端部を同時に掴むための後方のくわえづめブリッジとを含む排紙装置を有している。
【００１２】
後方のくわえづめブリッジによって後方の枚葉紙端部が確実な機能で把持されるという点で有利な発展例では、枚葉紙支持器が、枚葉紙を排紙する役目をする排紙装置の排紙胴の構成要素である。排紙胴は、枚葉紙支持器もしくはその能動位置にある支持セグメントで各枚葉紙を胴の円周表面に押し付け、それにより、後方のくわえづめブリッジは、排紙胴に配置された吸引ブリッジによって補助されながら、後方の枚葉紙端部を胴から支障なく受け取ることができる。
【００１３】
操作安全性が高いという点で有利な発展例では、受動位置のときに支持セグメントを係止するためのロック用つめが支持セグメントに付属しており、このロック用つめは、ロック用つめに対して相対的に揺動可能なレバーアームが、その揺動運動の過程で、ロック用つめに順次突き当たってこれを操作するように並んでいる。ロック用つめは、受動位置にある支持セグメントに操作員が意図せずぶつかることによって行われる、その支持セグメントの能動位置への位置調節を防止する。そうしないと、このように支持セグメントが意図せず直立したときに、前方のくわえづめブリッジの１つと、意図せず直立した支持セグメントとの間で行われる衝突や、それによって生じる機械損傷という結果につながりかねない。
【００１４】
支持セグメントが備えている押し当てクッションの耐用寿命がさらに伸びるという点で有利な発展例では、そのつど一方の揺動方向へ、かつその際に押離し位置へと行われる支持セグメントの揺動のための押し当て・押離し装置が支持セグメントに付属しており、揺動方向に見て能動位置の前に受動位置が配置されており、押離し位置がその後に配置されており、押し当て・押離し装置は、支持セグメントに対して相対的に回転可能かつ枚葉紙支持器回転軸と同軸に支持された切換リングを含んでいる。押し当てクッションは、磨耗によって引き起こされる磨減（消しゴム作用）に対する抵抗力が必然的に比較的低い、ゴム弾性的で比較的柔軟なプラスチックでできているのが好ましい。枚葉紙支持器が枚葉紙を押し当てさせる胴は、円周表面が起伏のある裏移り防止表面構造を有している圧胴であるのが好ましい。印刷動作のとき、押し当てされるべき枚葉紙は押し当てクッションと裏移り防止表面構造との間にあるので、裏移り防止表面構造は、印刷動作のときに押し当てクッションにいかなる磨減も引き起こすことがない。枚葉紙が搬送されないときに行われる機械の空運転のときには、裏移り防止表面構造と押し当てクッションの間に枚葉紙がないので、押し当てクッションが空運転のために押し当て・押離し装置によって圧胴およびその裏移り防止表面構造から押し離されないと、押し当てクッションが裏移り防止表面構造の上で直接転動することになり、裏移り防止表面構造によって著しい磨減にさらされることになる。切換リングによって、印刷の中断が突然発生した場合にすばやく行われるべき、能動位置にあるすべての支持セグメントの押離し位置への同期調節を行うことができるという利点がある。
【発明を実施するための最良の形態】
【００１５】
次に、本発明の実施の形態について図面を参照して説明する。
【００１６】
図１ａには、被印刷体からなる枚葉紙２を処理する機械１が概略的に平面図で示されている。機械１は枚葉紙印刷機であり、平版オフセット印刷のために胴４を備える印刷ユニット３を含むとともに、さらに、第１のチェーンコンベヤ６と第２のチェーンコンベヤ７とを備える排紙装置５を含んでいる。この胴は圧胴４である。
【００１７】
第１のチェーンコンベヤ６は、駆動側と操作側にそれぞれ１つのチェーンスプロケット８と、その回りを循環運動するエンドレスチェーン９とを含んでいる。第１のチェーンコンベヤ６のエンドレスチェーン９は、枚葉紙２の前方の枚葉紙端部１２を保持する、搬送方向１１に見て前方にあるくわえづめブリッジ１０をそれぞれの間に支持している。第２のチェーンコンベヤ７も、同じく両方の機械側の各々に、チェーンスプロケット１３と、その回りを循環運動するエンドレスチェーン１４とを含んでいる。第２のチェーンコンベヤ７のエンドレスチェーン１４は、搬送方向に見て後方にある枚葉紙端部１６を保持する、後方のくわえづめブリッジ１５をそれぞれの間に支持している。各々の後方のくわえづめブリッジ１５は、それぞれ前方のくわえづめブリッジ１０の１つとで、積み置きパイル１７に向かって行われる搬送中に各枚葉紙２を両側で掴む１組のくわえづめブリッジ対を構成している。
【００１８】
駆動側に位置する枚葉紙支持器１８と操作側に位置する枚葉紙支持器１９は、互いに鏡像対称に同一の構造となっており、各枚葉紙２を圧胴４の円周表面に押し当てる役目をする。枚葉紙支持器１８，１９は、スケルトン構造に構成された、排紙装置５の胴２０、すなわち排紙胴２０の構成要素であり、その幾何学的な枚葉紙支持器回転軸２１に沿って、図１ａに実線で示す、枚葉紙２の最大の枚葉紙幅用の判型調整から、図１ａに一点鎖線で示す、最小の枚葉紙幅用の判型調整へ、およびこの両方の極位置の間にある、中程度の枚葉紙幅用の中間位置へ、無段階に調整可能である。それぞれの判型調整では、駆動側の枚葉紙支持器１８は各枚葉紙２の印刷されていない一方の側縁と一直線上に並び、操作側の枚葉紙支持器１９は印刷されていない他方の側縁と一直線上に並ぶ。枚葉紙支持器１８，１９は、チェーンコンベヤ６，７の駆動側に配置されたチェーンスプロケット８，９と、その操作側のチェーンスプロケットとの間で、モータにより軸方向へ変位可能なように支持されている。互いに近づくように、または互いに遠ざかるように選択的に行われる、枚葉紙支持器１８，１９の軸方向変位のために必要な駆動装置（モータ、伝動装置）は、図を見やすくするために図面には示していない。
【００１９】
排紙胴２０はくわえづめのない支持胴であり、すなわち、枚葉紙２を挟み込むためのくわえづめ装置を含んでいない。
【００２０】
図１ｂには、機械１が図１ａほど模式化せずに側面図で示されている。
【００２１】
以下の説明において駆動側の枚葉紙支持器１８を取り上げて行う説明は、構造が同じなので、操作側の枚葉紙支持器１９についても比喩的な意味で当てはまる。さらに、駆動側の枚葉紙支持器１８の一方の半分についての以下の説明は、直径上の他方の半分についても当てはまる。
【００２２】
図２ａは、枚葉紙２の最大の枚葉紙長さ用として意図された、機械１の判型調整を示している。この場合、前方のくわえづめブリッジ１０は、後方のくわえづめブリッジ１５に対して相対的に、枚葉紙長さに対応する大きさの間隔に合わせられる。前方のくわえづめブリッジ１０のこの調整は、第１のチェーンコンベヤ６のチェーンスプロケット８が、第２のチェーンコンベヤ７のチェーンスプロケット１３に対して相対的に回転することによって行われる。このスプロケット回転は、前方のくわえづめブリッジ１０が取り付けられたエンドレスチェーン９が、後方のくわえづめブリッジ１５が取り付けられたエンドレスチェーン１４に対して相対的に、修正されるべき判型差に対応する位相ずれを生じるという結果をもたらす。枚葉紙支持器８は、排紙胴２０と圧胴４の共通の接線上の点２３（図１ｂ参照）において各枚葉紙２を圧胴に押し当てる、実質的にＴ字型の支持セグメント２２を含んでいる。支持セグメント２２のセグメントヘッド２４は、実質的に前方のくわえづめブリッジ１０から後方のくわえづめブリッジ１５まで延びる円周列を形成している。最大の判型調整のときにはすべての支持セグメント２２が直立し、それにより、両方のくわえづめブリッジ１０，１５の間の空間に入り込む。
【００２３】
図２ｂは、最小の枚葉紙長さ用の判型調整を示している。この場合、両方のくわえづめブリッジ１０，１５の間隔が、第２のチェーンコンベヤ７に対して相対的な第１のチェーンコンベヤ６の相応の回転角調節によって、図２ａに示す判型調整に比べてほぼ半分だけ減っている。このような判型切換の結果、前方のくわえづめブリッジ１０が支持セグメント２２の円周列の領域に入り込んでいる。そのためには、いくつかの支持セグメント２２が、排紙胴２０に関していっそう半径方向内側へ第１のチェーンコンベヤ６から引き込まれたところに位置する、中心に近い受動位置２２．１へと倒れることが必要である。支持セグメント２２が倒れることで、枚葉紙支持器回転軸２１と平行な横方向に見て枚葉紙支持器１８およびその支持セグメント２２を超えて延びる前方のくわえづめブリッジ１０のための運動スペースがつくられる。倒れた支持セグメント２２が受動位置２２．１にあるとき、前方のくわえづめブリッジ１０は、倒れた支持セグメント２２の上を通って、これらの支持セグメントに妨げられることなく、中心から遠い能動位置２２．２で起きたままに保たれた他の支持セグメント２２に達するまで位置調節することができる。能動位置２２．２に保たれた支持セグメント２２は、依然として図２ａから変わることなく、セグメントヘッド２４が整列線の上に並び、わずかな隙間幅で互いにほぼ突き合された状態で接するように揃っている。このとき、セグメントヘッド２４はずれ重ならないように向いており、これらのセグメントヘッド２４が一緒になって、各支持セグメント２２の間の非常に狭い隙間によってしか途切れていない、チェーンスプロケット８，１３と同心の転動面を構成する。それに対して、受動位置２２．１へと位置調節された支持セグメント２２は、そのセグメントヘッド２４がずれ重なった構造Ｓで相互に重なり合うように向いている。閉じた支持セグメント２２のセグメントヘッド２４はそれぞれ、枚葉紙支持器と平行な視線の方向に見たときに、それぞれ隣接する支持セグメント２２のセグメントヘッドを部分的に隠している。位置２２．１，２２．２に応じて異なる、セグメントヘッド２４の向きは、三次元の図３にもっともよく見ることができる。駆動側の枚葉紙支持器１８の倒れた支持セグメント２２は、操作側の枚葉紙支持器１９のほうを向いており、操作側の枚葉紙支持器１９の倒れた支持セグメント２２は、駆動側の枚葉紙支持器１８のほうを向いている。つまり、各枚葉紙支持器１８および１９の倒れた支持セグメント２２はすべて同一の方向へ、すなわち機械内部の方向へ倒れているので、各枚葉紙支持器１８および１９は、その支持セグメント２２のいくつかが受動位置になった後でもまだ非常に細くてコンパクトであり、枚葉紙支持器回転軸２１に沿って特別に遠くまで外方に向かって、各チェーンスプロケット１３の近くに達するまで位置調節することができる。
【００２４】
図４には、駆動側の枚葉紙支持器１８を例にとって、横方向のガイドレール２６を備えるドラムフレーム２５に枚葉紙支持器１８，１９が支持されている様子が示されている。ガイドレール２６は枚葉紙支持器回転軸２１と平行に向いている。図４に矢印２７で図示する、枚葉紙支持器１８，１９の枚葉紙幅に依存して決まる判型切換のとき、枚葉紙支持器８，１９に取り付けられたロール２８（図２ａ参照）がガイドレール２６の上を転がる。
【００２５】
排紙胴２０は、後方の枚葉紙端部１６を真空によって保持する吸引ブリッジ２９を有している。吸引ブリッジ２９は、各枚葉紙２の後方の枚葉紙端部１６を圧胴４から引き取り、その後に、第２のチェーンコンベヤ７の後方のくわえづめブリッジ１５が後方の枚葉紙端部１６を確実に掴めるようにする。
【００２６】
枚葉紙支持器１８は、支持セグメント２２が回転ジョイント３１（図２ａおよび図５から図７を参照）を中心として受動位置２２．１と能動位置２２．２へ選択的に揺動可能に支持された支持レール３０を含んでいる。各々の回転ジョイント３１は、図５に詳細図として図示された支持セグメント２２を例にとって示すように、各支持セグメント２２の揺動軸３２を規定している。揺動軸３２が枚葉紙支持器回転軸２１に対して相対的にねじれの位置にある方向を向いていることが、枚葉紙支持器１８，１９のコンパクトな構造という点で、およびそれと同時に能動位置２２．２にある支持セグメント２２が非常に緊密に接して並ぶという点で、特別に好ましい。つまり、揺動軸３２は枚葉紙支持器回転軸２１と平行ではなく、これと垂直でもない方向を向いている。さらに、密に接した並びは、枚葉紙支持器１８，１９が枚葉紙２の上に痕をつけずに、かつ、がたつかずに転動するという意味で好ましい。さらに、図５は、セグメントヘッド２４が、実質的に三角形に先細になって尖った断面を有するゴム弾性的な押し当てクッション３３を備えている様子を示している。各枚葉紙支持器１８および１９の押し当てクッション３３は、枚葉紙２を圧胴４に押し当てるとき、円周方向に延びるいわば軌道線に沿って枚葉紙２と接触する。
【００２７】
支持セグメント２２を起こしたり倒したりするのは、以下に詳細を説明するカム伝動装置によって行われる。各々の支持セグメント２２はストッパとして第１のカム３４と第２のカム３５を有している。支持セグメント２２とカム３４，３５は、同一の材料から、たとえば鋳造部品として製作されている。カムロール３７を備える切換レバー３６が、枚葉紙支持器回転軸２１を中心として揺動可能に枚葉紙支持器１８に支持されている。第１のカム３４は実質的にフック状であり、セグメントヘッド２４とは反対側にある支持セグメント２２の端部から始まり、実質的にセグメントヘッド２４に向かって湾曲している。第２のカム３５は実質的にフィンガ状であり、セグメントヘッド２４と第１のカム３４の間に配置されている。支持セグメント２２に沿って時計回りに行われる、切換レバー３６の揺動により、切換レバー３６およびそのカムロール３７が第１のカム３４に次々と切換接触し、それによって支持セグメント２２が順次閉じられる。切換レバー３６を時計と反対回りに揺動させることで、切換レバー３６およびそのカムロール３７は第２のカム３５と順次切換接触し、それによって支持セグメント２２が次々と再び閉じられる。このように、第１のカム３４は傾倒カムもしくは傾倒ストッパであり、支持セグメント２２を能動位置２２．２から受動位置２２．１へ位置調節する役目をする。逆に、支持セグメント２２を実質的に半径方向に直立させる役目をするのが、起立カムもしくは起立ストッパである第２のカム３５である。各支持セグメント２２の両方のカム３４，３５を切換レバーの揺動方向に互いにずれた状態で配置することにより、同一の操作部材すなわち切換レバー３６が、支持セグメント２２を倒すのにも起こすのにも利用できるという利点がある。
【００２８】
各々の支持セグメント２２は、その回転ジョイント３１およびばね３８とともに、双安定のオーバセンタ機構（ｏｖｅｒ−ｃｅｎｔｅｒ  ｄｅｖｉｃｅ）Ｋを構成している。ばね３８は引張ばねであり、一方のばね端部が第１の取付点３９で支持ディスク３０に取り付けられ、他方のばね端部が第２の取付点４０で支持セグメント２２に取り付けられている。取付点３９，４０は、ばね３８のスプリングアイに引っ掛けるための保持ピンである。ばね３８はつねに初期荷重をうけており、図６に示すように、取付点３９，４０がその上に位置するばね力作用線４１を有している。図５と図７はオーバセンタ機構Ｋの両方の安定した位置を示しており、すなわち、図５は前述した能動位置２２．２、図７は前述した受動位置２２．１を示している。図６は、オーバセンタ機構Ｋおよびその支持セグメント２２の、この両方の安定した位置の間にある中立の死点位置２２．３を示している。この死点位置２２．３のとき、ばね力作用線４１は回転ジョイント３１およびその揺動軸３２を通って延び、ばね３８の荷重は最大であり、すなわち能動位置２２．２や受動位置２２．１のときよりも大きい。次に述べる理由から、オーバセンタ機構Ｋも各枚葉紙支持器のコンパクトさに関して好ましい。支持セグメント２２の切換（倒す、または起こす）を引き起こすためにカムロール３７がカム３４，３５に向かって進まなくてはならない接触経路を、短く抑えることができる。したがって、カム３４，３５はわずかな長さを有しているだけでよい。支持セグメント２２の切換の過程でばね力作用線が回転ジョイント３１を通過すると、ばね力作用線４１の作用方向が変わる。たとえば、切換レバー３６のカムロール３７は、支持セグメント２２を能動位置２２．２（図５参照）から受動位置２２．１（図７参照）へ位置調節する場合、ばね力作用線４１が回転ジョイント３１に対して相対的にサイドチェンジする間に回転ジョイントをちょうど通過するまで、すなわち支持セグメント２２が死点２２．３を超えるまで、第１のカム３４から離れるだけでよい。その後、第１のカム３４と切換レバー３６の接触の維持はもはや必要なく、支持セグメント２２はばね３８によってのみ受動位置２２．１へと引っ張られる。すなわち支持セグメント２２は、選択された安定位置へと自動的にジャンプする。支持セグメント２２が起きるとき、支持セグメントは死点位置２２．３を超えると能動位置２２．２へとスナップ動作で移る。支持セグメント２２にはばね荷重がかかっているので、支持セグメントは、それまで切換レバー３６と第２のカム３５の間に成立していた接触が解消されると、能動位置２２．２へと自動的にジャンプする。図５に見られるように、支持セグメント２２が能動位置２２．２にあるとき、第２のカム３５は、切換レバー３６の揺動時にカムロール３７が枚葉紙支持器回転軸２１を中心として描く仮想的な飛行円のドラム半径方向上側にある。このとき、カムロール３７に対するストッパとしての第１のカム３４は、この飛行円の高さにある。それに対して図７に見られるように、支持セグメント２２が受動位置２２．１にあるときには、第１のカム３４は前述した飛行円のドラム半径方向下側にあり、第２のカム３５が飛���円の上に位置しており、カムロール３７に対するストッパを形成している。図を見やすくする理由から、オーバセンタ機構Ｋのばね３８は、図２ａから図３には図面に示していない。
【００２９】
各々の支持セグメント２２は、各支持セグメント２２が意図せず倒れたり起きたりするのを防ぐ安全装置を備えている。この安全装置はロック機構として構成されており、能動位置２２．２でも受動位置２２．１でも支持セグメント２２を固定する。各々のロック機構は、図８に示すようにロック用フック４８によって各支持セグメント２２を能動位置２２．２のときに支持セグメント２２の第１の係止面４３で係止するとともに、受動位置２２．１では図９に示すように第２の係止面４４で係止する、ダブルアームのロック用つめ４２を含んでいる。各々のロック用つめ４２は、ロック用つめ４２をロック位置で保持するばね４５によって付勢されている。ばね４５は、ロック用つめ４２のジャーナルに装着されたねじりばねである。各支持セグメント列のすべてのロック用つめ４２は、支持セグメント２２が倒されるとき、同一の操作部材によって、ばね４５の作用に抗して順次ロック解除される。この操作部材は、多部分からなるフォーク状の構成で、カムロール３７を支持するレバーアームに加えて、楔面４９を備え、この楔面によってロック用つめ４２のロック用フック４８と反対側にあるつめアームを操作するレバーアーム４７を有している、すでに述べた切換レバー３６である。レバーアーム４７は、枚葉紙支持器回転軸２１を中心として揺動し、それによってロック用つめ４２に次々と突き当たり、カムロール３７が第１のカム３４を押圧しはじめる直前に、各ロック用つめ４２を、ばね４５の復帰作用に抗して、ロックの係合から外れるように揺動させる。レバーアーム４７がロック用つめ４２を通り過ぎ、支持セグメント２２が、当初はカムロール３７から第１のカム３４に及ぼされる押圧力によって、次いでオーバセンタ機構Ｋのばね３８の引張力によって、受動位置２２．１へと位置調節された後、ロック用つめ４２はそのばね４５の復帰力によって自動的に第２の係止面４４もしくは支持セグメント２２に再び係止され、もしくはスナップ動作で係合する。図を見やすくする理由から、ロック用つめ４２とレバーアーム４７は図５から図７では図面に示していない。
【００３０】
図１０ａから図１０ｃは、支持セグメント２２を選択的に圧胴４へ当て付けたり、これから押し離したりするための押し当て・押離し装置Ａを示している。押し当て・押離し装置Ａは、中央の操作部材として、複数の切換ロール５１を備える切換リング５０を含んでおり、これらの切換ロールの各々が切換リングを、支持セグメント２２が圧胴４もしくはその上に運ばれた枚葉紙２に当て付けられる能動位置２２．３から、支持セグメント２２が圧胴４の上の枚葉紙２と転動接触しない受動位置２２．１へ、およびこれと逆向きに位置調節する。支持セグメント２２が切換リング５０によって押離し位置２２．４へ位置調節されているとき、セグメントヘッド２４は、能動位置２２．２のときよりも数ミリの半径方向間隔ａの分だけ枚葉紙支持器回転軸２１の近くにある。半径方向に見て、能動位置２２．２は押離し位置２２．４と受動位置２２．１の間にあり、前者よりも後者の近くにある。支持セグメント２２を押離し位置２２．４へ位置調節することで、排紙胴２０によって接線上の点２３で圧胴４とともに形成される胴と胴の間隙が開く。切換リング５０は枚葉紙支持器回転軸２１と実質的に同軸であり、支持ディスク３０に対して相対的に回転可能なように支持ディスク３０に支持されている。枚葉紙支持器回転軸２１を中心として行われ、回転方向に応じて支持セグメント２２を圧胴４に当て付けたり、これから押し離したりする役目をする切換リング５０の回転運動は、図１０ａと図１１ａに矢印５２で示されている。円周方向に見て支持セグメント２２と等しい相互間隔で配置された切換ロール５１のロール軸５３は、排紙胴２０に対して半径方向を向いている。各々の支持セグメント２２は、図１０ｂに示すように、能動位置２２．２のときに支持セグメントが各切換ロール５１に当接する第１の接触面５４と、図１１ｂに示すように、受動位置２２．４のときに支持セグメント２２が切換ロール５１に当接する第２の接触面５５とを有している。オーバセンタ機構Ｋのばね３８（図５参照）は、両方の位置（能動位置２２．２、押離し位置２２．４）で、各接触面５４，５５を切換ロール５１に当接させる。第２の接触面５５は、切換リング５０に対して相対的に傾いて延びる楔面を形成しており、第１の接触面５４とともに、切換ロール５１のためのカム軌道を形成する。反時計回りに行われる、図１０ａに示す回転角位置からの切換リング５０の回転の結果、第２の接触面５５が切換ロール５１と向かい合う位置に達し、オーバセンタ機構Ｋのばね３８が支持セグメント２２を能動位置２２．２から押離し位置２２．４へ揺動させることができる。時計回りに行われる切換リング５０の逆回転の結果、切換ロール５１が第２の接触面５５の上を第１の接触面５４まで移動し、再び第１の接触面と向かい合う位置に達し、それにより、支持セグメント２２は接触面５４，５５によってばね３８の作用に抗して押離し位置２２．４から能動位置２２．２へ揺動し、能動位置で保持される。
【図面の簡単な説明】
【００３１】
【図１ａ】排紙装置を備える印刷機を示す平面図である。
【図１ｂ】印刷機を示す側面図である。
【図２ａ】排紙装置の排紙胴の枚葉紙支持器のさまざまな判型調整を示す図である。
【図２ｂ】排紙装置の排紙胴の枚葉紙支持器のさまざまな判型調整を示す図である。
【図３】枚葉紙支持器と、排紙装置の前方のくわえづめブリッジとを示す三次元の部分図である。
【図４】枚葉紙支持器と、排紙装置の後方のくわえづめブリッジとを示す三次元の部分図である。
【図５】枚葉紙支持器の支持セグメントを含むオーバセンタ機構の機能形式を、位置の進行順序によって示す図である。
【図６】枚葉紙支持器の支持セグメントを含むオーバセンタ機構の機能形式を、位置の進行順序によって示す図である。
【図７】枚葉紙支持器の支持セグメントを含むオーバセンタ機構の機能形式を、位置の進行順序によって示す図である。
【図８】支持セグメントに付属するロック用つめの機能形式を、位置の進行順序によって示す図である。
【図９】支持セグメントに付属するロック用つめの機能形式を、位置の進行順序によって示す図である。
【図１０ａ】枚葉紙支持器の押し当て・押離し装置の機能形式を、位置の進行順序によって示す図である。
【図１０ｂ】枚葉紙支持器の押し当て・押離し装置の機能形式を、位置の進行順序によって示す図である。
【符号の説明】
【００３２】
１  機械
２  枚葉紙
３  印刷ユニット
４  圧胴
５  排紙装置
６  第１のチェーンコンベヤ
７  第２のチェーンコンベヤ
８  チェーンスプロケット
９  エンドレスチェーン
１０  前方のくわえづめブリッジ
１１  搬送方向
１２  前方の枚葉紙端部
１３  チェーンスプロケット
１４  エンドレスチェーン
１５  後方のくわえづめブリッジ
１６  後方の枚葉紙端部
１７  積み置きパイル
１８  駆動側の枚葉紙支持器
１９  操作側の枚葉紙支持器
２０  排紙胴
２１  枚葉紙支持器回転軸
２２  支持セグメント
２２．１  受動位置
２２．２  能動位置
２２．３  死点位置
２２．４  押離し位置
２３  接線上の点
２４  セグメントヘッド
２５  ドラムフレーム
２６  ガイドレール
２７  矢印
２８  ロール
２９  吸引ブリッジ
３０  支持ディスク
３１  回転ジョイント
３２  揺動軸
３３  押し当てクッション
３４  第１のカム
３５  第２のカム
３６  切換レバー
３７  カムロール
３８  ばね
３９  第１の取付点
４０  第２の取付点
４１  ばね力作用線
４２  ロック用つめ
４３  第１の係止面
４４  第２の係止面
４５  ばね
４６  ジャーナル
４７  レバーアーム
４８  ロック用フック
４９  楔面
５０  切換リング
５１  切換ロール
５２  矢印
５３  ロール軸
５４  第１の接触面
５５  第２の接触面
Ａ  押し当て・押離し装置
ａ  半径方向間隔
Ｋ  センタオーバ機構
Ｓ  ずれ重なった構造
【図１ａ】
0004679928.tif 000002
【図１ｂ】
0004679928.tif 000003
【図２ａ】
0004679928.tif 000004
【図２ｂ】
0004679928.tif 000005
【図３】
0004679928.tif 000006
【図４】
0004679928.tif 000007
【図５】
0004679928.tif 000008
【図６】
0004679928.tif 000009
【図７】
0004679928.tif 000010
【図８】
0004679928.tif 000011
【図９】
0004679928.tif 000012
【図１０ａ】
0004679928.tif 000013
【図１０ｂ】
0004679928.tif 000014